(57)【要約】【課題】  光ピックアップの基台の一端部に形成されている溝形の摺動部に嵌まり込んでいる副軸として、断面円形のロッドと板金製のものとを使い分けられるようにする。板金製の副軸を用いる場合に、その副軸の形状を簡素化する。【解決手段】  光ピックアップの基台４０に形成した溝形の摺動部６０が、断面円形のロッドでなる副軸３０の外周面に線接触して摺動する第１摺動面６１を備えた第１溝部６１０と、板金製の副軸３０の平板部３５が嵌め込まれてその平板部３５の外面に接触して摺動する第２摺動面６２を備えた第２溝部６２０とを有する。第２溝部６２０を、平板部３５の肉厚寸法と略同一寸法の溝幅を有する細溝部によって形成する。第１溝部６１０の溝口６１１を摺動部６０の外端で開放させ、第２溝部６２０の溝口６２１を第１溝部６１０の溝内空間に対して開放させる。【選択図】        図７
2009032352.tif 000002
【特許請求の範囲】
【請求項１】
シャーシに取り付けられた主軸と副軸とが光ピックアップを挟む両側に配備され、上記光ピックアップが上記主軸と副軸とに案内されながらディスクの記録面に沿って走行されるように構成されていて、上記光ピックアップの基台の一端部に溝形の摺動部が形成されていると共に、その摺動部に上記副軸が嵌まり込んでいるディスク装置において、
上記摺動部が、断面円形のロッドでなる上記副軸が貫挿されてその副軸の外周面に線接触して摺動する第１摺動面を備えた第１溝部と、平板部を有する副軸の上記平板部が嵌め込まれてその平板部の外面に接触して摺動する第２摺動面を備えた第２溝部とを有して、それらの第１溝部と第２溝部とが上記基台の異なる２箇所に各別に形成されていることを特徴とするディスク装置。
【請求項２】
上記第２溝部が、上記平板部の肉厚寸法と略同一寸法の溝幅を有する細溝部によって形成されて、その細溝部の溝壁面が上記第２摺動面として形成されている請求項１に記載したディスク装置。
【請求項３】
第１溝部の溝口が上記摺動部の外端で開放され、かつ、第２溝部の溝口が第１溝部の溝内空間に対して開放されている請求項１又は請求項２に記載したディスク装置。
【請求項４】
第２溝部が第１溝部の形成箇所に隣接してその第１溝部の形成箇所よりも上記基台の他端部寄り部位に形成されている請求項３に記載したディスク装置。
【請求項５】
上記シャーシに、上記ロッドでなる副軸と上記平板部を有する副軸との２種類の副軸から選択される任意の１種類の副軸を取り付けることができるようになっている請求項１ないし請求項４のいずれか１項に記載したディスク装置。
【発明の詳細な説明】
【技術分野】
【０００１】
本発明は、ディスク装置、特に、ディスクの記録面に沿って走行される光ピックアップの走行路が主軸と副軸とによって形成されるようになっているディスク装置に関する。
【背景技術】
【０００２】
この種のディスク装置において、主軸や副軸はシャーシに取り付けられていて、光ピックアップは、その基台が主軸と副軸とに摺動自在に取り付けられている。そして、副軸には、断面円形のロッドによって形成されたものが用いられたり、板金製のものが用いられたりする。
【０００３】
図９は、ロッドによって形成された副軸を有する従来のディスク装置の概略構成を平面視で示した説明図であり、図１０は板金製の副軸を有する従来のディスク装置の概略構成を平面視で示した説明図である。
【０００４】
図９及び図１０のディスク装置において、１０はシャーシで、このシャーシ１０に主軸２０と副軸３０とが互いに沿う状態で取り付けられている。そして、対物レンズなどの光学系部品を備えている光ピックアップの基台４０が主軸２０と副軸３０とにより保持され、かつ、それらの主軸２０と副軸３０とにより案内されて図示していないディスクの記録面に沿って直線走行路を矢印Ｌで示した方向に案内されるようになっている。なお、図には現れていないけれども、光ピックアップは基台４０に取り付けられているのであって、対物レンズ５１などの光学光学素子や電子素子などを備えている。７０はディスク（不図示）を保持して回転させるためのターンテーブルを示してある。
【０００５】
図９に示した従来のディスク装置において、副軸３０は光ピックアップの基台４０の一端部（基台４０の幅方向Ｗの一端部）に形成されている溝形の摺動部６０によって摺動自在に保持されている。また、図１０に示した従来のディスク装置においても、副軸３０は光ピックアップの基台４０の一端部（基台４０の幅方向Ｗの一端部）に形成されている溝形の摺動部６０によって摺動自在に保持されている。
【０００６】
そこで、図９及び図１０に示したディスク装置の両方に、同一形状の摺動部６０を有する基台４０を共用する場合には、その摺動部６０や副軸３０に次に説明するような対策が講じられていた。
【０００７】
図１１は摺動部６０に断面円形のロッドでなる副軸３０が嵌まり込んでいる状態を示した概略正面図、図１２は摺動部６０に板金製の副軸３０が嵌まり込んでいる状態を示した概略正面図であり、図１３は板金製の副軸３０の要部の概略斜視図である。
【０００８】
図１１及び図１２に示した摺動部６０は溝形に形成されている。
【０００９】
そして、溝形の摺動部６０の溝幅が、図１１によって判るように副軸３０を形成している断面円形のロッドの直径寸法を基準にしてそれと同等の寸法に定められていて、光ピックアップの走行時には、摺動部６０の溝壁面６１が副軸３０の外周面に線接触して摺動するようになっている。
【００１０】
これに対し、板金製の副軸３０を用いるときには、板金製の副軸３０に一定の対策を講じることによって、板金製の副軸３０で摺動部６０を案内することができるようにしている。すなわち、板金製の副軸３０に摺動部６０の溝幅と同等の幅寸法を付与することを目的として、図１２のように、副軸３０を一定形状に折り曲げることによって形成された増嵩部分３１を具備させるようにしていた。図例の板金製の副軸３０では、その増嵩部分３１の形状として、板金素材の端部をコ字形に折曲げ加工することによって形成した門形を選択してある。このものでは、光ピックアップの走行時に、摺動部６０の溝壁面６１が、副軸３０に具備されている上記増厚部分３１の平坦な外面と接触して摺動するようになっている。この事例において、板金製の副軸３０に形成されている増嵩部分３１は、図１３のように副軸３０の全長に亘って延びている。
【００１１】
一方、光ピックアップについては、副軸受け（上記摺動部に相当している）に一定の対策を講じることによって、副軸受けと副軸との摺動係合が外れないようにすることが提案されている（たとえば、特許文献１参照）。
【特許文献１】特開２００６−１３４５２８号公報
【発明の開示】
【発明が解決しようとする課題】
【００１２】
上記したところから判るように、図９及び図１０に示したディスク装置のように、光ピックアップの基台４０の摺動部６０を、断面円形のロッドでなる副軸３０と板金製の副軸３０との両方に共用することが要求される場合には、板金製の副軸３０に増嵩部分３１を形成するという対策を講じた上で、そのような板金製の副軸３０を、断面円形のロッドでなる副軸３０に適合している摺動部６０に組み合わせることが必要であった。
【００１３】
しかしながら、板金製の副軸３０を用いる場合に、その副軸３０に曲げ加工などによって形成した増嵩部分３１を形成することは、面倒である上に加工コストが高くつくという問題がある。
【００１４】
また、板金製の副軸３０を用い場合に、その副軸３０に曲げ加工などによって増嵩部分３１を設けると、その増嵩部分３１の外面の平面度の精度を高めることに困難があり、そのことが副軸３０による案内精度の低下を来す一因になるおそれがあった。
【００１５】
本発明は以上の問題に鑑みてなされたものである。すなわち、本発明は、光ピックアップがその両側に配備されている主軸と副軸とに案内されながらディスクの記録面に沿って走行されるように構成されているディスク装置において、光ピックアップの基台の一端部に形成されている溝形の摺動部に嵌まり込んでいる副軸が断面円形のロッドによって形成されている場合は勿論、板金製の副軸であっても、高い案内精度が得られるようにすることを目的とする。
【００１６】
また、本発明は、特に、ロッドでなる副軸を用い得ることは勿論、加工が面倒で加工コストが高くつく増嵩部分を形成していない平板部を有する板金製の副軸を用いることのできるディスク装置を提供することを目的とする。
【課題を解決するための手段】
【００１７】
本発明に係るディスク装置は、シャーシに取り付けられた主軸と副軸とが光ピックアップを挟む両側に配備され、上記光ピックアップが上記主軸と副軸とに案内されながらディスクの記録面に沿って走行されるように構成されていて、上記光ピックアップの基台の一端部に溝形の摺動部が形成されていると共に、その摺動部に上記副軸が嵌まり込んでいる。そして、上記摺動部が、断面円形のロッドでなる上記副軸が貫挿されてその副軸の外周面に線接触して摺動する第１摺動面を備えた第１溝部と、平板部を有する副軸の上記平板部が嵌め込まれてその平板部の外面に接触して摺動する第２摺動面を備えた第２溝部とを有して、それらの第１溝部と第２溝部とが上記基台の異なる２箇所に各別に形成されている。
【００１８】
この構成であると、断面円形のロッドを副軸に用いるときには、その副軸に摺動部の第１溝部を組み合わせ、また、板金製の副軸を用いるときには、その副軸に摺動部の第２溝部を組み合わせることが可能であるので、そのようにすることによって、ロッドと板金製の２種類の副軸を使い分けることが可能である。しかも、第１溝部と第２溝部とが光ピックアップの基台の異なる２箇所に各別に形成されていることにより、それらの第１溝部や第２溝部の形状ないし構成を、断面円形のロッドでなる副軸や板金製の副軸の形状ないし構成に合わせることが可能であるので、そうすることによって副軸による高い案内精度を得ることが可能である。
【００１９】
本発明では、上記第２溝部が、上記平板部の肉厚寸法と略同一寸法の溝幅を有する細溝部によって形成されて、その細溝部の溝壁面が上記第２摺動面として形成されていることが望ましい。この構成を採用すると、板金製の副軸として、面倒でコストのかかる曲げ加工によって形成した増嵩部分を副軸に具備させる必要がなくなるので、その副軸に平板状の板金を用いることが可能になる。そのため、副軸の曲げ加工による精度低下を生じる余地がなくなって、板金製の副軸による案内精度を高く保つことが容易になる。
【００２０】
本発明では、第１溝部の溝口が上記摺動部の外端で開放され、かつ、第２溝部の溝口が第１溝部の溝内空間に対して開放されていることが望ましい。そして、この構成を採用する場合には、第２溝部が第１溝部の形成箇所に隣接してその第１溝部の形成箇所よりも上記基台の他端部寄り部位に形成されている、という構成を採用することが可能である。
【００２１】
これら各発明によると、光ピックアップの基台の幅方向に第１溝部と第２溝部とが並んで形成されるために、それらの第１溝部と第２溝部とを基台の厚さ方向に並べて形成する場合に比べて、摺動部を薄く形成することが可能になる。そのため、近時では薄形化が顕著に要求されているディスク装置の薄形化が阻害されないという利点がある。
【００２２】
本発明では、上記シャーシに、上記ロッドでなる副軸と上記平板部を有する副軸との２種類の副軸から選択される任意の１種類の副軸を取り付けることができるようになっている、という構成を採用することも可能である。この構成のディスク装置によれば、光ピックアップの基台とシャーシとの両方を、ロッドでなる副軸と平板部を有する板金製の副軸との両方に共用することが可能になる。
【発明の効果】
【００２３】
以上のように、本発明に係るディスク装置によれば、断面円形のロッドでなる副軸と板金製の副軸とを必要に応じて使い分けることが可能である。しかも、断面円形のロッドでなる副軸を用いた場合は勿論、板金製の副軸を用いる場合においても、その副軸に図１２又は図１３に示したような増嵩部分３１を曲げ加工などによって具備させる必要がないので、板金製の副軸による案内性能を高い精度に維持することが容易に可能になる。
【００２４】
特に、加工が面倒で加工コストが高くつく増嵩部分を形成していない平板部を有する板金製の副軸、言い換えると、形状が簡素化された板金製の副軸を用いることができるようになるので、板金製の副軸を用いたディスク装置のコストダウンを図りやすくなるという効果が奏される。
【発明を実施するための最良の形態】
【００２５】
図１は本発明の実施形態に係るディスク装置に採用されている摺動部６０の概略正面図であり、図２は摺動部６０に断面円形のロッドでなる副軸３０が嵌まり込んでいる状態を示した概略正面図、図３は摺動部６０に板金製の副軸３０が嵌まり込んでいる状態を示した概略正面図である。また、図４は板金製の副軸３０の要部の概略斜視図である。
【００２６】
この実施形態のディスク装置において、その基本構成は図９又は図１０を参照して説明した従来例と同様である。この点を図９又は図１０を参照して説明すると、シャーシ１０に取り付けられた主軸２０と副軸３０とが光ピックアップを挟む両側に配備され、光ピックアップが主軸２０と副軸３０とに案内されながらディスクの記録面（不図示）に沿って走行されるように構成されている。また、光ピックアップの基台４０の一端部に溝形の摺動部６０が形成されていて、その摺動部６０に副軸３０が嵌まり込んでいる。
【００２７】
この実施形態では、摺動部６０の構成が、図１１や図１２に示したものと相違している。以下、この点を説明する。
【００２８】
図１に示した溝形の摺動部６０は、第１摺動面６１を備えた第１溝部６１０と、第２摺動面６２を備えた第２溝部６２０とを備えている。そして、第１溝部６１０の溝口６１１が摺動部６０の外端６３で開放されている。また、第２溝部６２０の溝口６２１が第１溝部６１０の溝内空間に対して開放されていて、その第２溝部６２０が第１溝部６１０の形成箇所に隣接してその第１溝部６１０の形成箇所よりも基台４０の他端部寄り部位に形成されている。
【００２９】
図１の構成を有する摺動部６０では、図２のように、第１溝部６１０が断面円形のロッドでなる副軸３０と組み合わせて用いられる。これに対して、図３のように、第２溝部６２０が板金製の副軸３０と組み合わせて用いられる。そして、第２溝部６２０に組み合わされる板金製の副軸３０は、図４のようにその端縁部が平板部３５として形成されている。そのため、板金製の副軸３０は、図１２又は図１３に示した増嵩部分３１を有していない。したがって、板金製の副軸３０の平板部３５には、平板材の形状がそのまま用いられている。その結果、板金製の副軸３０の製作コストは図１２又は図１３に示した副軸３０に比べて安価であり、しかも、平板部３５の外面に高精度の平面度が付与されている。
【００３０】
図１に示した第１溝部６１０は、その溝幅が、副軸３０として用いられる断面円形のロッドの直径寸法を基準にしてそれと同等の寸法に定められていて、その溝壁面が上記第１摺動面６１として形成されている。これに対し、図１に示した第２溝部６２０は、板金製の副軸３０（図４参照）の平板部３５の肉厚寸法を基準にしてそれと略同一寸法に定められた溝幅を有する細溝部によって形成されていて、その細溝部の溝壁面が上記第２摺動面６２として形成されている。
【００３１】
したがって、図２のように、第１溝部６１０に断面円形のロッドでなる副軸３０を貫挿させた状態では、摺動部６０がそれほど大きながたつきを生じることなく副軸３０の外周面に線接触して摺動する。また、図３のように第１溝部６１０の横切って第２溝部６２０に板金製の副軸３０の平板部３５を嵌め込んだ状態でも、摺動部６０がそれほど大きながたつきを生じることなく副軸３０の外面と接触して摺動する。
【００３２】
図５は本発明の実施形態に係るディスク装置に採用されている摺動部６０の変形例を示した概略正面図であり、図６はその摺動部６０に断面円形のロッドでなる副軸３０が嵌まり込んでいる状態を示した概略正面図、図７はその摺動部６０に板金製の副軸３０が嵌まり込んでいる状態を示した概略正面図である。
【００３３】
図５の摺動部６０は、第１摺動面６１を備えた第１溝部６１０と、第２摺動面６２を備えた第２溝部６２０とを備えている点で、図１の摺動部６０と同様の構成になっている。また、第１溝部６１０の溝口６１１が摺動部６０の外端６３で開放され、第２溝部６２０の溝口６２１が第１溝部６１０の溝内空間に対して開放されていて、その第２溝部６２０が第１溝部６１０の形成箇所に隣接してその第１溝部６１０の形成箇所よりも基台４０の他端部寄り部位に形成されている、という点でも、図１の摺動部６０と同様の構成になっている。
【００３４】
しかし、図１の摺動部６０では、第２溝部６２０を第１溝部６１０の中央位置の上方へ偏らせてその第２摺動面６２を第１溝部６１０の第１摺動面６１に面一に連続させてあるのに対し、図５の摺動部６０では、第２溝部６２０を第１溝部６１０の中央位置に形成してその第２摺動面６２を第１溝部６１０の第１摺動面６１の下方に偏らせてあるという点で相違している。
【００３５】
図５の構成を有する摺動部６０では、図６のように、第１溝部６１０が断面円形のロッドでなる副軸３０と組み合わせて用いられる。これに対して、図７のように、第２溝部６２０が図４を参照して説明したものと同様の板金製の副軸３０と組み合わせて用いられる。また、図５に示した第１溝部６１０は、その溝幅が、副軸３０として用いられる断面円形のロッドの直径寸法を基準にしてそれと同等の寸法に定められていて、その溝壁面が上記第１摺動面６１として形成されている。これに対し、図６に示した第２溝部６２０は、板金製の副軸３０（図４参照）の平板部３５の肉厚寸法を基準にしてそれと略同一寸法に定められた溝幅を有する細溝部によって形成されていて、その細溝部の溝壁面が上記第２摺動面６２として形成されている。
【００３６】
したがって、図６のように、第１溝部６１０に断面円形のロッドでなる副軸３０を貫挿させた状態では、摺動部６０がそれほど大きながたつきを生じることなく副軸３０の外周面に線接触して摺動する。また、図７のように第１溝部６１０の横切って第２溝部６２０に板金製の副軸３０の平板部３５を嵌め込んだ状態でも、摺動部６０がそれほど大きながたつきを生じることなく副軸３０の外面と接触して摺動する。図５の構成を有する摺動部６０によれば、板金製の副軸３０を用いる場合に、その副軸３０の平板部３５が第１溝部６１０の第１摺動面６１に接触しないので、それだけ摩擦抵抗が減少して円滑な摺動性が得られる。
【００３７】
この実施形態に係るディスク装置では、主軸や副軸が取り付けられているシャーシに一定の対策を講じておくことにより、光ピックアップの基台とシャーシとの両方を、ロッドでなる副軸と平板部を有する板金製の副軸との両方に共用することが可能になる。この事例を図８を参照して説明する。
【００３８】
図８において、シャーシ１０には、主軸２０と副軸３０とが取り付けられていて、副軸３０には、図４に示したものと同様の板金製のものが用いられている。そして、光ピックアップの基台４０の走行がそれらの主軸２０と副軸３０とにより案内されるようになっている。また、基台４０の摺動部６０の構成は、図１又は図５を参照して説明したものと同様である。
【００３９】
図例のシャーシ１０において、副軸３０としては、図示した板金製の副軸３０に代えて、断面円形のロッドでなる副軸を取り付けことも可能であり、その取付け箇所を図中に符号ａ，ｂで示してある。そして、図示した板金製の副軸３０に代えて、断面円形のロッドでなる副軸をシャーシ１０に取り付けると、その副軸と主軸２０とによって基台４０の走行が案内されるようになる。このようなディスク装置によると、必要に応じて副軸３０を、断面円形のロッドによって形成したり、図４に示したような板金製のものによって形成したりすることが可能になるという利点がある。
【図面の簡単な説明】
【００４０】
【図１】本発明の実施形態に係るディスク装置に採用されている摺動部の概略正面図である。
【図２】図１の摺動部に断面円形のロッドでなる副軸が嵌まり込んでいる状態を示した概略正面図である。
【図３】図１の摺動部に板金製の副軸が嵌まり込んでいる状態を示した概略正面図である。
【図４】板金製の副軸の要部の概略斜視図である。
【図５】本発明の実施形態に係るディスク装置に採用されている摺動部の変形例の概略正面図である。
【図６】図５の摺動部に断面円形のロッドでなる副軸が嵌まり込んでいる状態を示した概略正面図である。
【図７】図５の摺動部に板金製の副軸が嵌まり込んでいる状態を示した概略正面図である。
【図８】本発明の実施形態に係るディスク装置の構成の一例を示した概略平面図である。
【図９】ロッドによって形成された副軸を有する従来のディスク装置の概略構成を平面視で示した説明図である。
【図１０】板金製の副軸を有する従来のディスク装置の概略構成を平面視で示した説明図である。
【図１１】従来例に係る摺動部に断面円形のロッドでなる副軸が嵌まり込んでいる状態を示した概略正面図である。
【図１２】従来例に係る摺動部に板金製の副軸が嵌まり込んでいる状態を示した概略正面図である。
【図１３】従来例に係る板金製の副軸の要部の概略斜視図である。
【符号の説明】
【００４１】
１０  シャーシ
２０  主軸
３０  副軸
３５  板金製の副軸の平板部
４０  光ピックアップの基台
６０  摺動部
６１  第１摺動面
６２  第２摺動面
６１０  第１溝部
６１１  第１溝部の溝口
６２０  第２溝部
６２１  第２溝部の溝口
【図１】
2009032352.tif 000003
【図２】
2009032352.tif 000004
【図３】
2009032352.tif 000005
【図４】
2009032352.tif 000006
【図５】
2009032352.tif 000007
【図６】
2009032352.tif 000008
【図７】
2009032352.tif 000009
【図８】
2009032352.tif 000010
【図９】
2009032352.tif 000011
【図１０】
2009032352.tif 000012
【図１１】
2009032352.tif 000013
【図１２】
2009032352.tif 000014
【図１３】
2009032352.tif 000015